(57)【要約】【課題】  本発明は、銀行券、パスポート、カード、商品タグ、ブランドプロテクション等の偽造防止、真偽判別、複写防止が必要とされる貴重品に適用する画像形成体に関するものである。【解決手段】  基材に潜像領域と背景領域とを有する画像形成体であって、前記潜像領域と前記背景領域は、前記基材を貫通する穿孔によって形成され、前記穿孔が一方向に沿って万線状に形成され、前記潜像領域と前記背景領域では、前記万線状の所定のピッチが同一ピッチで、かつ、位相がずれており、更に、前記基材は、線状の凹部と線状の凸部を有し、前記線状の凹部と前記線状の凸部は、交互に配列されて万線として形成され、前記万線として形成される前記線状の凹部と前記線状の凸部は、前記潜像領域及び前記背景領域において、前記所定のピッチを有し、かつ、同一位相で形成されていることを特徴とする画像形成体である。【選択図】  図３
2007237416.tif 000002
【特許請求の範囲】
【請求項１】
基材に潜像領域と背景領域とを有する画像形成体であって、
前記潜像領域と前記背景領域は、前記基材を貫通する穿孔によって形成され、前記穿孔が一方向に沿って万線状に形成され、
前記潜像領域と前記背景領域では、前記万線状の所定のピッチが同一ピッチで、かつ、位相がずれており、
更に、前記基材は、線状の凹部と線状の凸部を有し、
前記線状の凹部と前記線状の凸部は、交互に配列されて万線として形成され、
前記万線として形成される前記線状の凹部と前記線状の凸部は、前記潜像領域及び前記背景領域において、前記所定のピッチを有し、かつ、同一位相で形成されていることを特徴とする画像形成体。
【請求項２】
基材に潜像領域と背景領域とを有する画像形成体であって、
前記潜像領域と前記背景領域は、前記基材を貫通する穿孔によって形成され、前記穿孔が一方向に沿って万線状に形成され、
前記潜像領域と前記背景領域では、前記万線状の所定のピッチが同一ピッチで、かつ、位相がずれており、
更に、前記基材は、ドット状の凹部とドット状の凸部を有し、
前記ドット状の凹部と前記ドット状の凸部は、縦方向及び横方向に交互に配列されてマトリックス状に形成され、
前記マトリックス状に形成される前記ドット状の凹部と前記ドット状の凸部は、前記潜像領域及び前記背景領域において、前記所定のピッチを有し、かつ、同一位相で形成されていることを特徴とする画像形成体。
【請求項３】
前記凹部及び前記凸部の断面形状は、第１の傾斜領域及び第２の傾斜領域を有する蒲鉾状、第１の傾斜領域及び第２の傾斜領域を有する鋸状、第１の傾斜領域及び第２の傾斜領域を有する台形状又は四角形状よって形成されていることを特徴とする請求項１又は２記載の画像形成体。
【請求項４】
前記背景領域に形成される前記穿孔は、前記背景領域の前記凸部、前記凹部、前記第１の傾斜領域、又は、前記第２の傾斜領域の種類のうち、いずれか一つの領域に沿って配列され、
前記潜像領域の前記凸部、前記凹部、前記第１の傾斜領域、又は、前記第２の傾斜領域の種類のうち、いずれか一つの領域に沿って配列され、かつ、前記背景領域の前記穿孔が形成される前記種類とは、異なった種類の領域に沿って配列されていることを特徴とする請求項３記載の画像形成体。
【請求項５】
前記凹部及び前記凸部は、すき入れによって形成されていることを特徴とする請求項１、２、３又は４記載の画像形成体。
【請求項６】
前記凸部、又は、前記凹部及び前記凸部は、前記基材と等色又は透明インキによって形成されていることを特徴とする請求項１、２、３又は４記載の画像形成体。
【請求項７】
前記凹部及び前記凸部は、エンボスによって形成されていることを特徴とする請求項１、２、３又は４記載の画像形成体。
【請求項８】
前記線状の凹部と前記線状の凸部は、直万線、曲万線又は同心円万線であることを特徴とする請求項１、３、４、５、６又は７記載の画像形成体。
【請求項９】
前記線状の凹部と前記線状の凸部のピッチは、１５０〜１５００μｍの範囲であり、前記穿孔によって形成される万線状のピッチは、１５０〜１５００μｍの範囲で、穿孔の径は、５０〜５００μｍの範囲で形成されることを特徴とする請求項１、３、４、５、６、７又は８記載の画像形成体。
【請求項１０】
前記ドット状の凹部と前記ドット状の凸部のピッチは、１５０〜１５００μｍの範囲であり、前記穿孔によって形成される万線状のピッチは、１５０〜１５００μｍの範囲で、穿孔の径は、５０〜５００μｍの範囲で形成されることを特徴とする請求項２、３、４、５、６、７又は８記載の画像形成体。
【発明の詳細な説明】
【技術分野】
【０００１】
本発明は、銀行券、パスポート、カード、商品タグ、ブランドプロテクション等の偽造防止、真偽判別、複写防止が必要とされる貴重品に適用する画像形成体に関するものである。
【背景技術】
【０００２】
銀行券、パスポート、カード、商品タグ、ブランドプロテクション等の貴重品は、その性質上、偽造、変造されにくく、さらに、その貴重品が本物か否か判断できる技術要素が要求される。例えば、その技術要素の一つとしては、貴重品を傾けて観察することで潜像画像が視認され、その視認の有無によって真偽判別を行う技術が知られている。例えば、インキの盛り又は基材の形状によって形成した凹凸形状を有する基材上に印刷画線を形成し、反射光で傾けて観察した場合に凹凸形状によって形成された潜像画像が視認できる技術、また、基材に背景領域と潜像領域で穿孔の形状、配置等を異ならせて形成し、透過光で傾けて観察した場合に潜像画像が視認できる技術等が挙げられる。
【０００３】
前記基材にインキの盛りによって形成した凹凸形状を有する素材上に印刷画線を形成し、反射光で傾けて観察した場合に凹凸形状によって形成された潜像画像が視認できる技術として、例えば、印刷素材に、部分的に角度を異にすることによって図柄を表した各種万線模様、又はレリーフ模様、又は双方の模様のいずれかを印刷素材と同色又は近似した色のインキによって隆起した印刷を施し、該印刷画線上に一定な間隔を持つ各種万線画線又は網点画線、又は双方の画線のいずれかを該印刷画線の色及び無色透明以外の異なった他の有色のインキによって該印刷画線に対して平行又は傾斜を持たせて印刷することによって、正面から観察すると、該一定な間隔を持つ各種万線画線又は網点画線、又は双方の画線のいずれかのみが確認でき、斜めの方向から観察すると、該隆起した印刷画線と該一定な間隔を持つ印刷画線との間に生じる一定でない位置関係によって、該隆起した画線によって構成した図柄が容易に確認でき、逆の斜めの方向から観察すると、図柄の明暗が反転して確認できることを特徴とする潜像印刷物が開示されている（特許文献１）。
【０００４】
前記基材の形状によって形成した凹凸形状を有する素材上に印刷画線を形成し、反射光で傾けて観察した場合に凹凸形状によって形成された潜像画像が視認できる技術として、例えば、部分的に角度を異にすることによって図柄を表した各種万線模様、又はレリーフ模様、又は双方の模様のいずれかのエンボスによって形成された凹凸形状を有する素材に、素材の色及び無色透明以外の異なった他の色のインキによって、一定な間隔を持つ各種万線画線、又は網点画線、又は双方の画線のいずれかを前述の凹凸形状の図柄以外の部分を構成する部分に対して平行又は傾斜を持たせて印刷することによって、正面から観察すると、該一定の間隔の直線で構成された各種万線画線、又は網点画線、又は双方の画線のいずれかのみが確認でき、斜めの方向から観察すると、該凹凸形状と、該一定な間隔を持つ印刷画線との間に生じる一定でない位置関係によって、該凹凸形状によって形成された図柄が容易に確認でき、逆の斜めの方向から観察すると、図柄の明暗が反転して確認できることを特徴とする潜像模様形成体が開示されている（特許文献２）。
【０００５】
前記基材に背景領域と潜像領域で穿孔の形状、配置等を異ならせて形成し、透過光で傾けて観察した場合に潜像画像が視認できる技術として、例えば、前記穿孔の形状の差異を利用し、潜像画像を出現させるもの、例えば、基材に、背景部を構成する微細な穿孔と、情報部を構成する穿孔を形成し、背景部の穿孔と情報部の穿孔を、穿孔の形状、寸法及び画素の角度の少なくとも一つ以上が異なるように形成し、真偽判別形成体を反射光で観察した場合に背景部と情報部は区分けして視認できないが、透過光で傾けて観察した場合に背景部と情報部は区分けして視認される技術が開示されている（特許文献３）。
【０００６】
基材に、目視しにくい程度の多数の微細な背景穿孔と、この背景穿孔とずらして配列した情報穿孔を形成して真偽判別形成体を構成し、この基材を、ＲＧＢ（赤、緑、青）のいずれかを呈する色要素が多数配列されて成る色要素画面上に置いて真偽判別を可能とする技術が開示されている（特許文献４）。
【０００７】
【特許文献１】特許第２６０００９４号公報（第１−６頁、第１−１０図）
【特許文献２】特許第２６１５４０１号公報（第１−４頁、第２−７図）
【特許文献３】特許第３３８５４６１号公報（第１−５頁、第１−３図）
【特許文献４】特許第３３８８３８８号公報（第１−１０頁、第１−９図）
【発明の開示】
【発明が解決しようとする課題】
【０００８】
上記特許第２６０００９４号公報及び特許第２６１５４０１号公報は、印刷又は基材の形状によって形成した凹凸形状を有する素材上に印刷画線を形成し、反射光で傾けて観察した場合に凹凸形状によって形成された潜像画像が視認できる技術である。特許第２６０００９４号公報は、基材に対して透過光で垂直方向から観察した場合に凹凸形状によって形成された潜像画像は視認することはできなかった。特許第２６１５４０１号公報は、基材に対して透過光で垂直方向から観察した場合に印刷画線の影響を受けてすき入れによって形成される潜像画像の視認性が低下する問題があった。また、基材に対して透過光で傾けて観察した場合にすき入れによって形成される潜像画像が視認し難い問題があった。また、特許第２６０００９４号公報及び特許第２６１５４０１号公報は、凹凸形状によって潜像画像を形成するものであった。また、特許第２６０００９４号公報及び特許第２６１５４０１号公報は、一表面から潜像画像が視認されるものであり、両面から潜像画像を視認できるようにするためには、表面及び裏面に印刷画線を形成する必要があった。
【０００９】
上記特許第３３８５４６１号公報は、基材に背景領域と潜像領域で穿孔の形状、配置等を異ならせて形成し、透過光で傾けて観察した場合に潜像画像が視認されるものであるが、基材をほぼ水平方向に傾けなければ潜像画像は視認することはできなかった。上記特許第３３８８３８８号公報は、判別フィルタを重ね合わせなければ潜像画像は視認することができなかった。
【００１０】
このようなことから特許第２６０００９４号公報、特許第２６１５４０１号公報、特許第３３８５４６１号公報及び第３３８８３８８号公報は限られた条件下のみで潜像画像が視認できるものであった。
【００１１】
本発明は、このような従来の問題を解決することを目的としたもので、限られた条件下のみで潜像画像が視認できるものではなく、凹凸形状によって潜像画像を形成することなく、反射光及び透過光で傾けて観察した場合に潜像画像が視認され、また、本発明の構成である凹凸形状をエンボスで形成した場合は、表面及び裏面に印刷画線を形成することなく、表面及び裏面の両面から潜像画像が視認され、さらに、判別フィルタを用いることなく、基材を水平方向まで傾けることなく潜像画像が視認できる画像形成体を提案することを目的とする。
【課題を解決するための手段】
【００１２】
本発明は、基材に潜像領域と背景領域とを有する画像形成体であって、前記潜像領域と前記背景領域は、前記基材を貫通する穿孔によって形成され、前記穿孔が一方向に沿って万線状に形成され、前記潜像領域と前記背景領域では、前記万線状の所定のピッチが同一ピッチで、かつ、位相がずれており、更に、前記基材は、線状の凹部と線状の凸部を有し、前記線状の凹部と前記線状の凸部は、交互に配列されて万線として形成され、前記万線として形成される前記線状の凹部と前記線状の凸部は、前記潜像領域及び前記背景領域において、前記所定のピッチを有し、かつ、同一位相で形成されていることを特徴とする画像形成体である。
【００１３】
また、本発明は、基材に潜像領域と背景領域とを有する画像形成体であって、前記潜像領域と前記背景領域は、前記基材を貫通する穿孔によって形成され、前記穿孔が一方向に沿って万線状に形成され、前記潜像領域と前記背景領域では、前記万線状の所定のピッチが同一ピッチで、かつ、位相がずれており、更に、前記基材は、ドット状の凹部とドット状の凸部を有し、前記ドット状の凹部と前記ドット状の凸部は、縦方向及び横方向に交互に配列されてマトリックス状に形成され、前記マトリックス状に形成される前記ドット状の凹部と前記ドット状の凸部は、前記潜像領域及び前記背景領域において、前記所定のピッチを有し、かつ、同一位相で形成されていることを特徴とする画像形成体である。
【００１４】
また、本発明は、前記凹部及び前記凸部の断面形状は、第１の傾斜領域及び第２の傾斜領域を有する蒲鉾状、第１の傾斜領域及び第２の傾斜領域を有する鋸状、第１の傾斜領域及び第２の傾斜領域を有する台形状又は四角形状よって形成されていることを特徴とする請求項１又は２記載の画像形成体である。
【００１５】
また、本発明は、前記背景領域に形成される前記穿孔は、前記背景領域の前記凸部、前記凹部、前記第１の傾斜領域、又は、前記第２の傾斜領域の種類のうち、いずれか一つの領域に沿って配列され、前記潜像領域の前記凸部、前記凹部、前記第１の傾斜領域、又は、前記第２の傾斜領域の種類のうち、いずれか一つの領域に沿って配列され、かつ、前記背景領域の前記穿孔が形成される前記種類とは、異なった種類の領域に沿って配列されていることを特徴とする請求項３記載の画像形成体である。
【００１６】
また、本発明は、前記凹部及び前記凸部は、すき入れによって形成されていることを特徴とする画像形成体である。
【００１７】
また、本発明は、前記凸部、又は、前記凹部及び前記凸部は、前記基材と等色又は透明インキによって形成されていることを特徴とする画像形成体である。
【００１８】
また、本発明は、前記凹部及び前記凸部は、エンボスによって形成されていることを特徴とする画像形成体である。
【００１９】
また、本発明は、前記線状の凹部と前記線状の凸部は、直万線、曲万線又は同心円万線であることを特徴とする画像形成体である。
【００２０】
また、本発明は、前記線状の凹部と前記線状の凸部のピッチは、１５０〜１５００μｍの範囲であり、前記穿孔によって形成される万線状のピッチは、１５０〜１５００μｍの範囲で、穿孔の径は、５０〜５００μｍの範囲で形成されることを特徴とする画像形成体である。
【００２１】
また、本発明は、前記ドット状の凹部と前記ドット状の凸部のピッチは、１５０〜１５００μｍの範囲であり、前記穿孔によって形成される万線状のピッチは、１５０〜１５００μｍの範囲で、穿孔の径は、５０〜５００μｍの範囲で形成されることを特徴とする画像形成体である。
【発明の効果】
【００２２】
本発明の画像形成体は、複数の条件下で潜像画像が視認されるものであり、反射光及び透過光で画像形成体を傾けて観察した場合に潜像画像が視認され、潜像画像の視認性の有無、複数の条件下での潜像画像の視認性の有無によって真偽判別が可能となる。よって、特別な真偽判別装置等を用いることなく、その場で上記効果が得られるか否かによって真偽判別することができる。
【００２３】
本発明の構成である凹凸形状を形成することによって判別フィルタを用いることなく、基材を水平方向まで傾けることなく浅い角度で潜像画像が視認できるため、容易に真偽判別ができる。
【００２４】
また、本発明の構成である凹凸形状をエンボスで形成した場合は、表面及び裏面に印刷画線を形成することなく、表面及び裏面の両面から潜像画像が視認される。
【００２５】
本発明の構成である凹凸形状は、従来の特許第特許第２６０００９４号公報及び特許第２６１５４０１号公報のように凹凸形状によって潜像画像を形成する必要がないため、凹凸形状を作製する際に複雑な形状にする必要がないため作製に手間がかからない。
【００２６】
以上のことから、本発明の画像形成体は、真偽判別効果が高く、微細な穿孔で形成するため改ざん、複製防止効果のあり、銀行券、パスポート、カード、商品タグ、ブランドプロテクション等の偽造防止、改竄防止が必要とされる貴重品に適用することができる。
【発明を実施するための最良の形態】
【００２７】
本発明を実施するための最良の形態について図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００２８】
本発明の構成である万線状又はドット状の凹部と凸部について図１及び図２を用いて説明する。本発明の構成である凹部と凸部をすき入れで形成する場合は、図１（ａ）乃至図１（ｆ）の形態が実施可能であり、本発明の構成である凹部と凸部を印刷で形成する場合は、図１（ａ）又は図１（ｂ）の形態が実施可能である。さらに、本発明の構成である凹部と凸部をエンボスで形成する場合は、図２（ａ）乃至図２（ｆ）の形態が実施可能である。
【００２９】
図１（ａ）は基材１の表面のベースの高さ１ａより高い三角形状の凸部３ａが繰り返し配置され、凸部３ａが繰り返し配置されることによって凹部２ａが形成される。凸部３ａの領域は、図１（ａ）に示すように領域３の範囲であり、凹部２ａの領域は、図１（ａ）に示すように領域２の範囲である。凸部３ａは基材１の表面のベースの高さ１ａより高く形成され、凹部２ａの最低部は、基材１の表面のベースの高さ１ａとなる。ただし、凹部２ａの最低部は、基材１の表面のベースの高さ１ａより高い形状となる場合もある。
【００３０】
図１（ｂ）は基材１の表面のベースの高さ１ｂより高い三角形状の凸部３ｂが特定の間隔で繰り返し配置され、凸部３ｂが特定の間隔で繰り返し配置されることによって凹部２ｂが形成される。凸部３ｂの領域は、図１（ｂ）に示すように領域３の範囲であり、凹部２ｂの領域は、図１（ｂ）に示すように領域２の範囲である。凸部３ｂは基材１の表面のベースの高さ１ｂより高く形成され、凹部２ｂの最低部は、基材１の表面のベースの高さ１ｂとなる。
【００３１】
図１（ｃ）は基材１の表面のベースの高さ１ｃより低い三角形状の凹部２ｃが特定の間隔で繰り返し配置され、凹部２ｃが特定の間隔で繰り返し配置されることによって凸部３ｃが形成される。凹部２ｃの領域は、図１（ｃ）に示すように領域２の範囲であり、凸部３ｃの領域は、図１（ｃ）に示すように領域３の範囲である。凹部２ｃは基材１の表面のベースの高さ１ｃより低く形成され、凸部３ｃの最高部は、基材１の表面のベースの高さ１ｃとなる。ただし、凸部３ｃの最高部は、基材１の表面のベースの高さ１ｃより低い場合もある。
【００３２】
図１（ｄ）は基材１の表面のベースの高さ１ｄより低い三角形状の凹部２ｄが特定の間隔で繰り返し配置され、凹部２ｄが特定の間隔で繰り返し配置されることによって凸部３ｄが形成される。凹部２ｄの領域は、図１（ｄ）に示すように領域２の範囲であり、凸部３ｄの領域は、図１（ｄ）に示すように領域３の範囲である。凹部２ｄは基材１の表面のベースの高さ１ｄより低く形成され、凸部３ｄの最高部は、基材１の表面のベースの高さ１ｄとなる。
【００３３】
図１（ｅ）は基材１の表面のベースの高さ１ｅより高い三角形状の凸部３ｅが繰り返し配置され、基材１の表面のベースの高さ１ｅより低い三角形状の凹部２ｅが繰り返し配置される。凸部３ｅの領域は、図１（ｅ）に示すように領域３の範囲であり、凹部２ｅの領域は、図１（ｅ）に示すように領域２の範囲である。
【００３４】
図１（ｆ）は基材１の表面のベースの高さ１ｆより高い三角形状の凸部３ｆが特定の間隔で繰り返し配置され、基材１の表面のベースの高さ１ｆより低い三角形状の凹部２ｆが特定の間隔で繰り返し配置される。凸部３ｆの領域は、図１（ｆ）に示すように領域３の範囲であり、凹部２ｆの領域は、図１（ｆ）に示すように領域２の範囲である。
【００３５】
図１の構成は下記に示す画像形成体Ａ１乃至Ａ６に用いることができる。図１に示すように基材１の表面は凹部及び凸部が形成され、基材１の裏面は基材１の表面に比べて平滑を有している。本発明の構成である凹部と凸部をすき入れで形成する場合は、すき入れが作製できる抄紙機によって、紙を作製する段階で形成される。すき入れで形成する場合の基材は紙基材である。本発明の構成である凹部と凸部を印刷で形成する場合は、インキ盛りを有する印刷（凹版印刷、スクリーン印刷、発泡印刷等：インキ盛りが形成できれば印刷方式は限定されるものではない）によって作製される。インキの色彩は、基材と等色又は透明インキによって形成され、基材の種類は、紙、プラスチック等が挙げられる。また、印刷、すき入れ以外に射出成型等で画像を形成することが可能である。基材１の厚さは、６０〜８００μｍが好ましい。また、凸部と凹部の凹凸差は、１０μｍ〜５００μｍ程度であることが好ましい。
【００３６】
図２（ａ）は基材１の表面のベースの高さ１ａより高い三角形状の凸部３ａが繰り返し配置され、凸部３ａが繰り返し配置されることによって凹部２ａが形成される。凸部３ａの領域は、図２（ａ）に示すように領域３の範囲であり、凹部２ａの領域は、図２（ａ）に示すように領域２の範囲である。凸部３ａは基材１の表面のベースの高さ１ａより高く形成され、凹部２ａの最低部は、基材１の表面のベースの高さ１ａとなる。ただし、凹部２ａの最低部は、基材１の表面のベースの高さ１ａより高い形状となる場合もある。
【００３７】
図２（ｂ）は基材１の表面のベースの高さ１ｂより高い三角形状の凸部３ｂが特定の間隔で繰り返し配置され、凸部３ｂが特定の間隔で繰り返し配置されることによって凹部２ｂが形成される。凸部３ｂの領域は、図２（ｂ）に示すように領域３の範囲であり、凹部２ｂの領域は、図２（ｂ）に示すように領域２の範囲である。凸部３ｂは基材１の表面のベースの高さ１ｂより高く形成され、凹部２ｂの最低部は、基材１の表面のベースの高さ１ｂとなる。
【００３８】
図２（ｃ）は基材１の表面のベースの高さ１ｃより低い三角形状の凹部２ｃが特定の間隔で繰り返し配置され、凹部２ｃが特定の間隔で繰り返し配置されることによって凸部３ｃが形成される。凹部２ｃの領域は、図２（ｃ）に示すように領域２の範囲であり、凸部３ｃの領域は、図２（ｃ）に示すように領域３の範囲である。凹部２ｃは基材１の表面のベースの高さ１ｃより低く形成され、凸部３ｃの最高部は、基材１の表面のベースの高さ１ｃとなる。ただし、凸部３ｃの最高部は、基材１の表面のベースの高さ１ｃより低い形状となる場合もある。
【００３９】
図２（ｄ）は基材１の表面のベースの高さ１ｄより低い三角形状の凹部２ｄが特定の間隔で繰り返し配置され、凹部２ｄが特定の間隔で繰り返し配置されることによって凸部３ｄが形成される。凹部２ｄの領域は、図２（ｄ）に示すように領域２の範囲であり、凸部３ｄの領域は、図２（ｄ）に示すように領域３の範囲である。凹部２ｄは基材１の表面のベースの高さ１ｄより低く形成され、凸部３ｄの最高部は、基材１の表面のベースの高さ１ｄとなる。
【００４０】
図２（ｅ）は基材１の表面のベースの高さ１ｅより高い三角形状の凸部３ｅが繰り返し配置され、基材１の表面のベースの高さ１ｅより低い三角形状の凹部２ｅが繰り返し配置される。凸部３ｅの領域は、図２（ｅ）に示すように領域３の範囲であり、凹部２ｅの領域は、図２（ｅ）に示すように領域２の範囲である。
【００４１】
図２（ｆ）は基材１の表面のベースの高さ１ｆより高い三角形状の凸部３ｆが特定の間隔で繰り返し配置され、基材１の表面のベースの高さ１ｆより低い三角形状の凹部２ｆが特定の間隔で繰り返し配置される。凸部３ｆの領域は、図２（ｆ）に示すように領域３の範囲であり、凹部２ｆの領域は、図２（ｆ）に示すように領域２の範囲である。
【００４２】
図２の構成は下記に示す画像形成体Ａ７乃至Ａ１２に用いることができる。図２に示すように基材１の表面及び裏面は凹部及び凸部が形成される。本発明の構成であるエンボスは、エンボスが作製できるプレス機によって、紙等に圧力をかけて作製される。基材は、紙、プラスチック等が挙げられる。また、エンボス以外に射出成型等で画像を形成することが可能である。基材１の厚さは、６０〜８００μｍが好ましい。また、凸部と凹部の凹凸差は、１０μｍ〜５００μｍ程度であることが好ましい。
【００４３】
次に、本発明の構成であるすき入れ又は印刷で形成する凹凸形状の断面形状について図３を用いて説明する。図３（ａ）は三角形状の凸部３である。図３（ｂ）は三角形状の凹部２である。図３（ｃ）は台形状の凸部３である。図３（ｄ）は台形状の凹部２である。図３（ｅ）は四角形状の凸部３である。図３（ｆ）は四角形状の凹部２である。図３（ｇ）は蒲鉾状の凸部３である。図３（ｈ）は蒲鉾状の凹部２である。図３（ｉ）は直角三角形状の凸部３である。図３（ｊ）は直角三角形状の凹部２である。本発明の構成である凹部及び凸部の形状は、図３に示すような形状が考えられるが、本発明はこれに限定されることがない。また、図３（ａ）乃至図（ｊ）を組み合わせて形成することもできる。
【００４４】
次に、本発明の構成であるエンボスで形成する凹凸形状の断面形状について図４を用いて説明する。図４（ａ）は三角形状の凸部３である。図４（ｂ）は三角形状の凹部２である。図４（ｃ）は台形状の凸部３である。図４（ｄ）は台形状の凹部２である。図４（ｅ）は四角形状の凸部３である。図４（ｆ）は四角形状の凹部２である。図４（ｇ）は蒲鉾状の凸部３である。図４（ｈ）は蒲鉾状の凹部２である。図４（ｉ）は直角三角形状の凸部３である。図４（ｊ）は直角三角形状の凹部２である。本発明の構成である凹部及び凸部の形状は、図４に示すような形状が考えられるが、本発明はこれに限定されることがない。また、図４（ａ）乃至図（ｊ）を組み合わせて形成することもできる。
【００４５】
（画像形成体Ａ１）
図５に画像形成体Ａ１とその一部拡大図を示す。基材１の一表面の所定領域５を設け、所定領域５に穿孔画像４ａが形成される。穿孔画像４ａは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にすき入れから形成される凹部２と凸部３からなる万線のピッチが、穿孔で形成される万線状のピッチと同一のピッチを有し、かつ、同一位相（潜像領域８及び背景領域７で凹部２と凸部３にずれがない）で画像形成体Ａ１が形成される。凹部２は、同一の深さであることが好ましい。凸部３は、同一の高さであることが好ましい。穿孔９ａと穿孔９ｂは同一の径、同一の形状であることが好ましい。凹部２と凸部３は図３（ｆ）の断面形状で作製される。背景領域７である第１の領域に形成される穿孔９ａは、凹部２に沿って形成され、潜像領域８である第２の領域に形成される穿孔９ｂは、凸部３に沿って形成される。つまり、背景領域７である第１の領域に形成される穿孔９ａは、基材１の最低部である凹部に沿って形成され、潜像領域８である第２の領域に形成される穿孔９ｂは、基材１の最高部である凸部に沿って形成される。画像形成体Ａ１の効果を以下に説明する。
【００４６】
画像形成体Ａ１は、図６（ａ）に示すように反射光で肉眼で画像形成体Ａ１に対して垂直方向から観察した場合に、図６（ｂ）に示すように、穿孔画像４ａは視認することができるが、潜像領域８及び背景領域７を識別することができない。これは、背景領域７に形成される穿孔９ａと潜像領域８に形成される穿孔９ｂの位相のずれは肉眼で識別できない程度の範囲である。よって、穿孔画像４ａは視認することができるが、潜像領域８及び背景領域７を識別することができない。
【００４７】
画像形成体Ａ１は、図５に示したＸ１方向又はＸ２方向から特定角度で、図７（ａ）に示すように反射光で肉眼で観察した場合に、図７（ｂ）に示すように、穿孔画像４ａの潜像領域８及び背景領域７を識別され、潜像画像８が視認することができる。図７（ｃ）に示すように潜像領域８の凸部３の線に形成される穿孔９ｂは、そのままの状態で視認できるが、背景領域７の凹部２の線に形成される穿孔９ａは、凸部３の線によって遮断され視認することができない。このため、潜像領域８の凸部３の線に形成される穿孔９ｂのみが視認され、穿孔９ｂによって形成された潜像画像（Ｐ）が視認できる。
【００４８】
画像形成体Ａ１は、図８（ａ）に示しように透過光で肉眼で画像形成体Ａ１に対して垂直方向から観察した場合に、図８（ｂ）に示すように、穿孔画像４ａが視認することができる。さらに凹部２及び凸部３の万線が確認できる。すき入れは、反射光では視認することができなく、一般的に透過光で視認できる技術である。さらに、図８（ｃ）に示すように、背景領域７の凹部及び潜像領域８の凹部の領域は、背景領域７の凸部及び潜像領域８の凸部の領域よりも基材１の厚さが薄いため、透過光量が強い。さらに、背景領域７の凹部の領域及び潜像領域８の凸部の領域は穿孔が形成されているため、透過光量が強い。このように透過光量が強くなることによって、すき入れの視認性が向上する。ただし、この場合は、約８０μｍ〜１５０μｍの厚さ基材（特に紙基材）に限られ、階調等を有する鮮明なすき入れの場合は、穿孔によって鮮明度を失う場合もある。
【００４９】
画像形成体Ａ１は、図５に示したＸ１方向又はＸ２方向から特定角度で、図９（ａ）に示すように透過光で肉眼で観察した場合に、図９（ｂ）に示すように、穿孔画像４ａの潜像領域８及び背景領域７を識別され、潜像画像８が視認することができる。図９（ｃ）に示すように潜像領域８の凸部３の線に形成される穿孔９ｂの透過光は、そのままの状態で視認できるが、背景領域７の凹部２の線に形成される穿孔９ａの透過光は、凸部３の線によって遮断され視認することができないか、若しくは、透過光量が減少する。このため、潜像領域８の凸部３の線に形成される穿孔９ｂの透過光が視認され、穿孔９ｂの透過光によって形成された潜像画像（Ｐ）が視認できる。
【００５０】
画像形成体Ａ１は、背景領域７である第１の領域に形成される穿孔９ａは、凹部２に沿って形成され、潜像領域８である第２の領域に形成される穿孔９ｂは、凸部３に沿って形成されているが、背景領域７である第１の領域に形成される穿孔９ａは、凸部３に沿って形成し、潜像領域８である第２の領域に形成される穿孔９ｂは、凹部２に沿って形成しても良い。このように作製した場合は、図７、図９で説明した潜像画像（Ｐ）は、それぞれネガとポジが反転して視認される。
【００５１】
（画像形成体Ａ２）
図１０に画像形成体Ａ２とその一部拡大図を示す。基材１の一表面の所定領域５を設け、所定領域５に穿孔画像４ｂが形成される。穿孔画像４ｂは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にすき入れから形成される第１の傾斜領域１１ａと第２の傾斜領域１１ｂを有する凹部２と凸部３からなる万線のピッチが、穿孔で形成される万線状のピッチと同一のピッチを有し、かつ、同一位相（潜像領域８及び背景領域７で凹部２と凸部３にずれがない）で画像形成体Ａ２が形成される。凹部２は、同一の深さであることが好ましい。凸部３は、同一の高さであることが好ましい。穿孔９ａと穿孔９ｂは同一の径、同一の形状であることが好ましい。凹部２と凸部３は図１（ａ）の断面形状で作製される。背景領域７である第１の領域に形成される穿孔９ａは、第１の傾斜領域１１ａに沿って形成され、潜像領域８である第２の領域に形成される穿孔９ｂは、第２の傾斜領域１１ｂに沿って形成される。画像形成体Ａ２の効果を以下に説明する。
【００５２】
画像形成体Ａ２は、図１１（ａ）に示すように反射光で肉眼で画像形成体Ａ２に対して垂直方向から観察した場合に、図１１（ｂ）に示すように、穿孔画像４ｂは視認することができるが、潜像領域８及び背景領域７を識別することができない。これは、背景領域７に形成される穿孔９ａと潜像領域８に形成される穿孔９ｂの位相のずれは肉眼で識別できない程度の範囲である。よって、穿孔画像４ｂは視認することができるが、潜像領域８及び背景領域７を識別することができない。
【００５３】
画像形成体Ａ２は、図１０に示したＸ１方向から特定角度で、図１２（ａ）に示すように反射光で肉眼で観察した場合に、図１２（ｂ）に示すように、穿孔画像４ｂの潜像領域８及び背景領域７を識別され、潜像画像８が視認することができる。図１２（ｃ）に示すように潜像領域８の第２の傾斜領域１１ｂに沿って形成される穿孔９ｂは、そのままの状態で視認できるが、背景領域７の第１の傾斜領域１１ａに沿って形成される穿孔９ａは、第１の傾斜領域１１ａに沿って形成されているため視認することができない。このため、潜像領域８の第２の傾斜領域１１ｂに沿って形成される穿孔９ｂのみが視認され、穿孔９ｂによって形成された潜像画像（Ｐ）が視認できる。Ｘ２方向から特定角度で観察した場合に潜像画像のネガとポジが反転する。
【００５４】
画像形成体Ａ２は、図１３（ａ）に示しように透過光で肉眼で画像形成体Ａ２に対して垂直方向から観察した場合に、図１３（ｂ）に示すように、穿孔画像４ｂが視認することができる。さらに凹部２及び凸部３の万線が確認できる。すき入れは、反射光では視認することができなく、一般的に透過光で視認できる技術である。さらに、図１３（ｃ）に示すように、背景領域７の凹部及び潜像領域８の凹部の領域は、背景領域７の凸部及び潜像領域８の凸部の領域よりも基材１の厚さが薄いため、透過光量が強い。さらに、背景領域７の第１の傾斜領域１１ａ及び潜像領域８の第２の傾斜領域１１ｂは穿孔が形成されているため、透過光量が強い。このように透過光量が強くなることによって、すき入れの視認性が向上する。ただし、この場合は、約８０μｍ〜１５０μｍの厚さ基材（特に紙基材）に限られ、階調等を有する鮮明なすき入れの場合は、穿孔によって鮮明度を失う場合もある。
【００５５】
画像形成体Ａ２は、図１０に示したＸ１方向から特定角度で、図１４（ａ）に示すように透過光で肉眼で観察した場合に、図１４（ｂ）に示すように、穿孔画像４ｂの潜像領域８及び背景領域７を識別され、潜像画像８が視認することができる。図１４（ｃ）に示すように潜像領域８の第２の傾斜領域１１ｂに沿って形成される穿孔９ｂの透過光は、そのままの状態で視認できるが、背景領域７の第１の傾斜領域１１ａに沿って形成に形成される穿孔９ａの透過光は、第１の傾斜領域１１ａに沿って形成されているため視認することができないか、若しくは、透過光量が減少する。このため、潜像領域８の第２の傾斜領域１１ｂに沿って形成される穿孔９ｂの透過光が視認され、穿孔９ｂの透過光によって形成された潜像画像（Ｐ）が視認できる。Ｘ２方向から特定角度で観察した場合に潜像画像のネガとポジが反転する。
【００５６】
画像形成体Ａ２は、背景領域７である第１の領域に形成される穿孔９ａは、第１の傾斜領域１１ａに沿って形成され、潜像領域８である第２の領域に形成される穿孔９ｂは、第２の傾斜領域１１ｂに沿って形成されているが、背景領域７である第１の領域に形成される穿孔９ａは、第２の傾斜領域１１ｂに沿って形成し、潜像領域８である第２の領域に形成される穿孔９ｂは、第１の傾斜領域１１ａに沿って形成しても良い。このように作製した場合は、図１２及び図１４で説明した潜像画像（Ｐ）は、それぞれネガとポジが反転して視認される。
【００５７】
（画像形成体Ａ３）
図１５に画像形成体Ａ３とその一部拡大図を示す。基材１の一表面の所定領域５を設け、所定領域５に穿孔画像４ｃが形成される。穿孔画像４ｃは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にすき入れから形成されるドット状の凹部２とドット状の凸部３が交互にマトリックス状に形成され、凸部間のピッチが、穿孔で形成される万線状のピッチと同一のピッチを有し、かつ、同一位相（潜像領域８及び背景領域７で凹部２と凸部３にずれがない）で画像形成体Ａ３が形成される。凹部２は、同一の深さであることが好ましい。凸部３は、同一の高さであることが好ましい。穿孔９ａと穿孔９ｂは同一の径、同一の形状であることが好ましい。凹部２と凸部３は図３（ｆ）の断面形状で作製される。背景領域７である第１の領域に形成される穿孔９ａは、凹部２に形成され、潜像領域８である第２の領域に形成される穿孔９ｂは、凸部３に形成される。つまり、背景領域７である第１の領域に形成される穿孔９ａは、基材１の最低部である凹部に形成され、潜像領域８である第２の領域に形成される穿孔９ｂは、基材１の最高部である凸部に形成される。画像形成体Ａ３の効果を以下に説明する。
【００５８】
画像形成体Ａ３は、図１６（ａ）に示すように反射光で肉眼で画像形成体Ａ３に対して垂直方向から観察した場合に、図１６（ｂ）に示すように、穿孔画像４ｃは視認することができるが、潜像領域８及び背景領域７を識別することができない。これは、背景領域７に形成される穿孔９ａと潜像領域８に形成される穿孔９ｂの位相のずれは肉眼で識別できない程度の範囲である。よって、穿孔画像４ｃは視認することができるが、潜像領域８及び背景領域７を識別することができない。
【００５９】
画像形成体Ａ３は、図１５に示したＸ１方向、Ｘ２方向、Ｘ３方向又はＸ４方向から特定角度で、図１７（ａ）に示すように反射光で肉眼で観察した場合に、図１７（ｂ）に示すように、穿孔画像４ｃの潜像領域８及び背景領域７を識別され、潜像画像８が視認することができる。図１７（ｃ）に示すように潜像領域８の凸部３のドットに形成される穿孔９ｂは、そのままの状態で視認できるが、背景領域７の凹部２に形成される穿孔９ａは、凸部３によって遮断され視認することができない。このため、潜像領域８の凸部３に形成される穿孔９ｂのみが視認され、穿孔９ｂによって形成された潜像画像（Ｔ）が視認できる。視認できる方向は、Ｘ１方向、Ｘ２方向、Ｘ３方向又はＸ４方向に限定されることなく、３６０度、どの方向から傾けて観察しても潜像画像が視認可能である。
【００６０】
画像形成体Ａ３は、図１８（ａ）に示しように透過光で肉眼で画像形成体Ａ３に対して垂直方向から観察した場合に、図１８（ｂ）に示すように、穿孔画像４ｃが視認することができる。さらに凹部２及び凸部３のドットが確認できる。すき入れは、反射光では視認することができなく、一般的に透過光で視認できる技術である。さらに、図１８（ｃ）に示すように、背景領域７の凹部及び潜像領域８の凹部の領域は、背景領域７の凸部及び潜像領域８の凸部の領域よりも基材１の厚さが薄いため、透過光量が強い。さらに、背景領域７の凹部の領域及び潜像領域８の凸部の領域は穿孔が形成されているため、透過光量が強い。このように透過光量が強くなることによって、すき入れの視認性が向上する。ただし、この場合は、約８０μｍ〜１５０μｍの厚さ基材（特に紙基材）に限られ、階調等を有する鮮明なすき入れの場合は、穿孔によって鮮明度を失う場合もある。
【００６１】
画像形成体Ａ３は、図１５に示したＸ１方向、Ｘ２方向、Ｘ３方向又はＸ４方向から特定角度で、図１９（ａ）に示すように透過光で肉眼で観察した場合に、図１９（ｂ）に示すように、穿孔画像４ｃの潜像領域８及び背景領域７を識別され、潜像画像８が視認することができる。図１９（ｃ）に示すように潜像領域８の凸部３に形成される穿孔９ｂの透過光は、そのままの状態で視認できるが、背景領域７の凹部２に形成される穿孔９ａの透過光は、凸部３によって遮断され視認することができないか、若しくは、透過光量が減少する。このため、潜像領域８の凸部３に形成される穿孔９ｂの透過光が視認され、穿孔９ｂの透過光によって形成された潜像画像（Ｔ）が視認できる。視認できる方向は、Ｘ１方向、Ｘ２方向、Ｘ３方向又はＸ４方向に限定されることなく、３６０度、どの方向から傾けて観察しても潜像画像が視認可能である。
【００６２】
画像形成体Ａ３は、背景領域７である第１の領域に形成される穿孔９ａは、凹部２に形成され、潜像領域８である第２の領域に形成される穿孔９ｂは、凸部３に形成されているが、背景領域７である第１の領域に形成される穿孔９ａは、凸部３に形成し、潜像領域８である第２の領域に形成される穿孔９ｂは、凹部２に形成しても良い。このように作製した場合は、図１７、図１９で説明した潜像画像（Ｔ）は、それぞれネガとポジが反転して視認される。
【００６３】
画像形成体Ａ１乃至Ａ３において、凹部２及び凸部３の万線又はドットで形成しているが曲線、同心円で形成することができる。下記に曲線の例を示す。
【００６４】
（画像形成体Ａ４）
図２０に画像形成体Ａ４とその一部拡大図を示す。基材１の一表面の所定領域５を設け、所定領域５に穿孔画像４ｄが形成される。穿孔画像４ｄは背景領域７である第１の領域と、潜像領域８である第２の領域に区分けされ、背景領域７である第１の領域に基材１を貫通する穿孔９ａが所定のピッチで配列され、曲万線状に形成され、潜像領域８である第２の領域に、基材１を貫通する穿孔９ｂが所定のピッチで配列され、曲万線状に形成される。背景領域７である第１の領域の穿孔９ａからなる曲万線状の配列方向と、潜像領域８である第２の領域の穿孔９ｂからなる曲万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にすき入れから形成される第１の傾斜領域１１ａと第２の傾斜領域１１ｂを有する凹部２と凸部３からなる曲万線のピッチが、穿孔で形成される万線状のピッチと同一のピッチを有し、かつ、同一位相（潜像領域８及び背景領域７で凹部２と凸部３にずれがない）で画像形成体Ａ４が形成される。凹部２は、同一の深さであることが好ましい。凸部３は、同一の高さであることが好ましい。穿孔９ａと穿孔９ｂは同一の径、同一の形状であることが好ましい。凹部２と凸部３は図１（ａ）の断面形状で作製される。背景領域７である第１の領域に形成される穿孔９ａは、第１の傾斜領域１１ａに沿って形成され、潜像領域８である第２の領域に形成される穿孔９ｂは、第２の傾斜領域１１ｂに沿って形成される。画像形成体Ａ４は、画像形成体Ａ１と同様な効果を有する。
【００６５】
画像形成体Ａ１乃至Ａ４において、凹部２及び凸部３の線は、背景領域及び潜像領域内を形成しているが、背景領域内のみで形成することができる。又は、潜像領域内のみで形成することができる。
【００６６】
（画像形成体Ａ５）
図２１（ａ）に画像形成体Ａ５とその一部拡大図を示す。基材１の一表面の所定領域５を設け、所定領域５に穿孔画像４ｅが形成される。穿孔画像４ｅは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。背景領域７において、基材１にすき入れから形成される凹部２と凸部３からなる万線のピッチが、穿孔で形成される万線状のピッチと同一のピッチで画像形成体Ａ５が形成される。凹部２は、同一の深さであることが好ましい。凸部３は、同一の高さであることが好ましい。穿孔９ａと穿孔９ｂは同一の径、同一の形状であることが好ましい。凹部２と凸部３は図３（ｆ）の断面形状で作製される。なお、穿孔９ａは背景領域７である第１の領域の凹部２に沿って形成され、穿孔９ｂは潜像領域８である第２の領域内に形成される。画像形成体Ａ５は、反射光又は透過光で特定方向及び特定角度から肉眼で観察した場合に潜像画像が視認できる。
【００６７】
（画像形成体Ａ６）
図２１（ｂ）に画像形成体Ａ６とその一部拡大図を示す。基材１の一表面の所定領域５を設け、所定領域５に穿孔画像４ｆが形成される。穿孔画像４ｆは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８において、基材１にすき入れから形成される凹部２と凸部３からなる万線のピッチが、穿孔で形成される万線状のピッチと同一のピッチで画像形成体Ａ６が形成される。凹部２は、同一の深さであることが好ましい。凸部３は、同一の高さであることが好ましい。穿孔９ａと穿孔９ｂは同一の径、同一の形状であることが好ましい。凹部２と凸部３は図３（ｆ）の断面形状で作製される。なお、穿孔９ａは背景領域７である第１の領域内に形成され、穿孔９ｂは潜像領域８の凹部２に沿って形成される。画像形成体Ａ６は、反射光又は透過光で特定方向及び特定角度から肉眼で観察した場合に画像形成体Ａ１とネガポジが反転して潜像画像が視認される。
【００６８】
画像形成体Ａ１乃至画像形成体Ａ６は、凹部及び凸部からなるすき入れと穿孔によって潜像画像を形成しているが、本発明はこれに限定されることなく、すき入れの変わりに印刷によって凹部及び凸部を形成してもよい。この場合の印刷で形成される凸部、又は、凹部及び凸部は、基材と等色のインキ又は透明インキによって形成する必要がある。ここで言う基材と等色の色とは、ＣＩＥ色差△Ｅが４以下としている。凸部は画線で形成し、凹部は非画線で形成する形態、又は、凹部は盛量の低い画線で形成し、凸部は盛量の高い画線で形成してもよい。なお、図２２（ａ）は、凸部は、印刷画線、凹部は、非画線で形成されており、図２２（ｂ）は、凹部は盛量の低い画線で形成し、凸部は盛量が高い画線で形成されている。
【００６９】
（画像形成体Ａ７）
図２３に画像形成体Ａ７とその一部拡大図を示す。基材１に所定領域５を設け、所定領域５に穿孔画像４ｇが形成される。穿孔画像４ｇは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にエンボスから形成される凹部２と凸部３からなる万線のピッチが、穿孔で形成される万線状のピッチと同一のピッチを有し、かつ、同一位相（潜像領域８及び背景領域７で凹部２と凸部３にずれがない）で画像形成体Ａ７が形成される。凹部２は、同一の深さであることが好ましい。凸部３は、同一の高さであることが好ましい。穿孔９ａと穿孔９ｂは同一の径、同一の形状であることが好ましい。凹部２と凸部３は図４（ｆ）の断面形状で作製される。背景領域７である第１の領域に形成される穿孔９ａは、凹部２に沿って形成され、潜像領域８である第２の領域に形成される穿孔９ｂは、凸部３に沿って形成される。つまり、背景領域７である第１の領域に形成される穿孔９ａは、基材１の最低部である凹部に沿って形成され、潜像領域８である第２の領域に形成される穿孔９ｂは、基材１の最高部である凸部に沿って形成される。画像形成体Ａ７の効果を以下に説明する。
【００７０】
画像形成体Ａ７は、図２４（ａ）に示すように反射光で肉眼で画像形成体Ａ７に対して垂直方向から観察した場合に、図２４（ｂ）に示すように、穿孔画像４ｇは視認することができるが、潜像領域８及び背景領域７を識別することができない。これは、背景領域７に形成される穿孔９ａと潜像領域８に形成される穿孔９ｂの位相のずれは肉眼で識別できない程度の範囲である。よって、穿孔画像４ｇは視認することができるが、潜像領域８及び背景領域７を識別することができない。凹部２と凸部３のエンボスは、一般的に、反射光で視認できる技術であるが、凹部２と凸部３は、穿孔９によってカムフラージュされているため肉眼では視認し難い状態となる。
【００７１】
画像形成体Ａ７は、図２３に示したＸ１方向又はＸ２方向から特定角度で、図２５（ａ）に示すように反射光で肉眼で観察した場合に、図２５（ｂ）に示すように、穿孔画像４ｇの潜像領域８及び背景領域７を識別され、潜像画像８が視認することができる。図２５（ｃ）に示すように潜像領域８の凸部３の線に形成される穿孔９ｂは、そのままの状態で視認できるが、背景領域７の凹部２の線に形成される穿孔９ａは、凸部３の線によって遮断され視認することができない。このため、潜像領域８の凸部３の線に形成される穿孔９ｂのみが視認され、穿孔９ｂによって形成された潜像画像（Ｐ）が視認できる。
【００７２】
画像形成体Ａ７は、図２６（ａ）に示しように透過光で肉眼で画像形成体Ａ７に対して垂直方向から観察した場合に、図２６（ｂ）に示すように、凹部２と凸部３のエンボスが視認することができなく、穿孔画像のみが視認される。エンボスは、一般的に、反射光で視認できる技術であり、透過光量が多く得られる基材ではエンボスは視認しにくくなる。さらに、凹部２と凸部３は、穿孔９によってカムフラージュされているため肉眼では視認し難い状態となる。
【００７３】
画像形成体Ａ７は、図２３に示したＸ１方向又はＸ２方向から特定角度で、図２７（ａ）に示すように透過光で肉眼で観察した場合に、図２７（ｂ）に示すように、穿孔画像４ｇの潜像領域８及び背景領域７を識別され、潜像画像８が視認することができる。図２７（ｃ）に示すように潜像領域８の凸部３の線に形成される穿孔９ｂの透過光は、そのままの状態で視認できるが、背景領域７の凹部２の線に形成される穿孔９ａの透過光は、凸部３の線によって遮断され視認することができないか、若しくは、透過光量が減少する。このため、潜像領域８の凸部３の線に形成される穿孔９ｂの透過光が視認され、穿孔９ｂの透過光によって形成された潜像画像（Ｐ）が視認できる。
【００７４】
画像形成体Ａ７は、背景領域７である第１の領域に形成される穿孔９ａは、凹部２に沿って形成され、潜像領域８である第２の領域に形成される穿孔９ｂは、凸部３に沿って形成されているが、背景領域７である第１の領域に形成される穿孔９ａは、凸部３に沿って形成し、潜像領域８である第２の領域に形成される穿孔９ｂは、凹部２に沿って形成しても良い。このように作製した場合は、図２５、図２７で説明した潜像画像（Ｐ）は、それぞれネガとポジが反転して視認される。
【００７５】
画像形成体Ａ７の裏面は、表面に形成した凹部２の線は、凸部となり、表面に形成した凸部３の線が、凹部となる。よって基材の裏面は、画像形成体Ａ７の裏面は、背景領域である第１の領域に形成される穿孔は、凸部に沿って形成され、潜像領域である第２の領域に形成される穿孔は、凹部に沿って形成される。画像形成体Ａ７の裏面は、特定方向及び特定角度で、反射光又は透過光で肉眼で観察した場合に、潜像領域と背景領域が識別され潜像画像が視認することができる。背景領域の凸部の線に形成される穿孔は、そのままの状態で視認できるが、潜像領域の凹部の線に形成される穿孔は、凸部の線によって遮断され視認することができない。このため、背景領域の凸部の線に形成される穿孔のみが視認され、穿孔によって形成された潜像画像（Ｐ）が視認できる。つまり、画像形成体Ａ７の表面から確認できた潜像画像とはネガとポジが反転して視認される。
【００７６】
（画像形成体Ａ８）
図２８に画像形成体Ａ８とその一部拡大図を示す。基材１に所定領域５を設け、所定領域５に穿孔画像４ｈが形成される。穿孔画像４ｈは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にエンボスから形成される第１の傾斜領域１１ａと第２の傾斜領域１１ｂを有する凹部２と凸部３からなる万線のピッチが、穿孔で形成される万線状のピッチと同一のピッチを有し、かつ、同一位相（潜像領域８及び背景領域７で凹部２と凸部３にずれがない）で画像形成体Ａ８が形成される。凹部２は、同一の深さであることが好ましい。凸部３は、同一の高さであることが好ましい。穿孔９ａと穿孔９ｂは同一の径、同一の形状であることが好ましい。凹部２と凸部３は図２（ａ）の断面形状で作製される。背景領域７である第１の領域に形成される穿孔９ａは、第１の傾斜領域１１ａに沿って形成され、潜像領域８である第２の領域に形成される穿孔９ｂは、第２の傾斜領域１１ｂに沿って形成される。画像形成体Ａ８の効果を以下に説明する。
【００７７】
画像形成体Ａ８は、図２９（ａ）に示すように反射光で肉眼で画像形成体Ａ８に対して垂直方向から観察した場合に、図２９（ｂ）に示すように、穿孔画像４ｈは視認することができるが、潜像領域８及び背景領域７を識別することができない。これは、背景領域７に形成される穿孔９ａと潜像領域８に形成される穿孔９ｂの位相のずれは肉眼で識別できない程度の範囲である。よって、穿孔画像４ｈは視認することができるが、潜像領域８及び背景領域７を識別することができない。凹部２と凸部３のエンボスは、一般的に、反射光で視認できる技術であるが、凹部２と凸部３は、穿孔９によってカムフラージュされているため肉眼では視認し難い状態となる。
【００７８】
画像形成体Ａ８は、図２８に示したＸ１方向から特定角度で、図３０（ａ）に示すように反射光で肉眼で観察した場合に、図３０（ｂ）に示すように、穿孔画像４ｈの潜像領域８及び背景領域７を識別され、潜像画像８が視認することができる。図３０（ｃ）に示すように潜像領域８の第２の傾斜領域１１ｂに沿って形成される穿孔９ｂは、そのままの状態で視認できるが、背景領域７の第１の傾斜領域１１ａに沿って形成される穿孔９ａは、第１の傾斜領域１１ａに沿って形成されているため視認することができない。このため、潜像領域８の第２の傾斜領域１１ｂに沿って形成される穿孔９ｂのみが視認され、穿孔９ｂによって形成された潜像画像（Ｐ）が視認できる。Ｘ２方向から特定角度で観察した場合に潜像画像のネガポジが反転する。
【００７９】
画像形成体Ａ８は、図３１（ａ）に示しように透過光で肉眼で画像形成体Ａ８に対して垂直方向から観察した場合に、図３１（ｂ）に示すように、凹部２と凸部３のエンボスが視認することができなく、穿孔画像のみが視認される。エンボスは、一般的に、反射光で視認できる技術であり、透過光量が多く得られる基材ではエンボスは視認しにくくなる。さらに、凹部２と凸部３は、穿孔９によってカムフラージュされているため肉眼では視認し難い状態となる。
【００８０】
画像形成体Ａ８は、図２８に示したＸ１方向から特定角度で、図３２（ａ）に示すように透過光で肉眼で観察した場合に、図３２（ｂ）に示すように、穿孔画像４ｈの潜像領域８及び背景領域７を識別され、潜像画像８が視認することができる。図３２（ｃ）に示すように潜像領域８の第２の傾斜領域１１ｂに沿って形成される穿孔９ｂの透過光は、そのままの状態で視認できるが、背景領域７の第１の傾斜領域１１ａに沿って形成に形成される穿孔９ａの透過光は、第１の傾斜領域１１ａに沿って形成されているため視認することができないか、若しくは、透過光量が減少する。このため、潜像領域８の第２の傾斜領域１１ｂに沿って形成される穿孔９ｂの透過光が視認され、穿孔９ｂの透過光によって形成された潜像画像（Ｐ）が視認できる。Ｘ２方向から特定角度で観察した場合に潜像画像のネガポジが反転する。
【００８１】
画像形成体Ａ８は、背景領域７である第１の領域に形成される穿孔９ａは、第１の傾斜領域１１ａに沿って形成され、潜像領域８である第２の領域に形成される穿孔９ｂは、第２の傾斜領域１１ｂに沿って形成されているが、背景領域７である第１の領域に形成される穿孔９ａは、第２の傾斜領域１１ｂに沿って形成し、潜像領域８である第２の領域に形成される穿孔９ｂは、第１の傾斜領域１１ａに沿って形成しても良い。このように作製した場合は、図３０及び図３２で説明した潜像画像（Ｐ）は、それぞれネガとポジが反転して視認される。
【００８２】
画像形成体Ａ８の裏面は、表面に形成した凹部２の線は、凸部となり、表面に形成した凸部３の線が、凹部となる。よって基材の裏面は、画像形成体Ａ８の裏面は、背景領域である第１の領域に形成される穿孔は、第２の傾斜領域に沿って形成され、潜像領域である第２の領域に形成される穿孔は、第１の傾斜領域に沿って形成される。画像形成体Ａ８の裏面は、Ｘ１方向から特定角度で、反射光又は透過光で肉眼で観察した場合に潜像領域と背景領域が識別され潜像画像が視認することができる。背景領域の第２の傾斜領域に形成される穿孔は、そのままの状態で視認できるが、潜像領域の第１の傾斜領域に形成される穿孔は、視認することができない。このため、背景領域の第２の傾斜領域に形成される穿孔のみが視認され、穿孔によって形成された潜像画像（Ｐ）が視認できる。つまり、画像形成体２の表面から確認できた潜像画像とはネガポジが反転して視認される。
【００８３】
（画像形成体Ａ９）
図３３に画像形成体Ａ９とその一部拡大図を示す。基材１に所定領域５を設け、所定領域５に穿孔画像４ｉが形成される。穿孔画像４ｉは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にエンボスから形成されるドット状の凹部２とドット状の凸部３が交互にマトリックス状に形成され、凸部間のピッチが、穿孔で形成される万線状のピッチと同一のピッチを有し、かつ、同一位相（潜像領域８及び背景領域７で凹部２と凸部３にずれがない）で画像形成体Ａ９が形成される。凹部２は、同一の深さであることが好ましい。凸部３は、同一の高さであることが好ましい。穿孔９ａと穿孔９ｂは同一の径、同一の形状であることが好ましい。凹部２と凸部３は図４（ｆ）の断面形状で作製される。背景領域７である第１の領域に形成される穿孔９ａは、凹部２に形成され、潜像領域８である第２の領域に形成される穿孔９ｂは、凸部３に形成される。つまり、背景領域７である第１の領域に形成される穿孔９ａは、基材１の最低部である凹部に形成され、潜像領域８である第２の領域に形成される穿孔９ｂは、基材１の最高部である凸部に形成される。画像形成体Ａ９の効果を以下に説明する。
【００８４】
画像形成体Ａ９は、図３４（ａ）に示すように反射光で肉眼で画像形成体Ａ９に対して垂直方向から観察した場合に、図３４（ｂ）に示すように、穿孔画像４ｉは視認することができるが、潜像領域８及び背景領域７を識別することができない。これは、背景領域７に形成される穿孔９ａと潜像領域８に形成される穿孔９ｂの位相のずれは肉眼で識別できない程度の範囲である。よって、穿孔画像４ｉは視認することができるが、潜像領域８及び背景領域７を識別することができない。凹部２と凸部３のエンボスは、一般的に、反射光で視認できる技術であるが、凹部２と凸部３は、穿孔９によってカムフラージュされているため肉眼では視認し難い状態となる。
【００８５】
画像形成体Ａ９は、図３３に示したＸ１方向、Ｘ２方向、Ｘ３方向又はＸ４方向から特定角度で、図３５（ａ）に示すように反射光で肉眼で観察した場合に、図３５（ｂ）に示すように、穿孔画像４ｉの潜像領域８及び背景領域７を識別され、潜像画像８が視認することができる。図３５（ｃ）に示すように潜像領域８の凸部３のドットに形成される穿孔９ｂは、そのままの状態で視認できるが、背景領域７の凹部２に形成される穿孔９ａは、凸部３によって遮断され視認することができない。このため、潜像領域８の凸部３に形成される穿孔９ｂのみが視認され、穿孔９ｂによって形成された潜像画像（Ｔ）が視認できる。視認できる方向は、Ｘ１方向、Ｘ２方向、Ｘ３方向又はＸ４方向に限定されることなく、３６０度、どの方向から傾けて観察しても潜像画像が視認可能である。
【００８６】
画像形成体Ａ９は、図３６（ａ）に示しように透過光で肉眼で画像形成体Ａ９に対して垂直方向から観察した場合に、図３６（ｂ）に示すように、凹部２と凸部３のエンボスが視認することができなく、穿孔画像のみが視認される。エンボスは、一般的に、反射光で視認できる技術であり、透過光量が多く得られる基材ではエンボスは視認しにくくなる。さらに、凹部２と凸部３は、穿孔９によってカムフラージュされているため肉眼では視認し難い状態となる。
【００８７】
画像形成体Ａ９は、図３３に示したＸ１方向、Ｘ２方向、Ｘ３方向又はＸ４方向から特定角度で、図３７（ａ）に示すように透過光で肉眼で観察した場合に、図３７（ｂ）に示すように、穿孔画像４ｉの潜像領域８及び背景領域７を識別され、潜像画像８が視認することができる。図３７（ｃ）に示すように潜像領域８の凸部３に形成される穿孔９ｂの透過光は、そのままの状態で視認できるが、背景領域７の凹部２に形成される穿孔９ａの透過光は、凸部３によって遮断され視認することができないか、若しくは、透過光量が減少する。このため、潜像領域８の凸部３に形成される穿孔９ｂの透過光が視認され、穿孔９ｂの透過光によって形成された潜像画像（Ｔ）が視認できる。視認できる方向は、Ｘ１方向、Ｘ２方向、Ｘ３方向又はＸ４方向に限定されることなく、３６０度、どの方向から傾けて観察しても潜像画像が視認可能である。
【００８８】
画像形成体Ａ９は、背景領域７である第１の領域に形成される穿孔９ａは、凹部２に形成され、潜像領域８である第２の領域に形成される穿孔９ｂは、凸部３に形成されているが、背景領域７である第１の領域に形成される穿孔９ａは、凸部３に形成し、潜像領域８である第２の領域に形成される穿孔９ｂは、凹部２に形成しても良い。このように作製した場合は、図３５、図３７で説明した潜像画像（Ｔ）は、それぞれネガとポジが反転して視認される。
【００８９】
画像形成体Ａ９の裏面は、表面に形成した凹部２のドットは、凸部となり、表面に形成した凸部３のドットが、凹部となる。よって基材の裏面は、画像形成体Ａ９の裏面は、背景領域である第１の領域に形成される穿孔は、凸部に沿って形成され、潜像領域である第２の領域に形成される穿孔は、凹部に沿って形成される。画像形成体Ａ９の裏面は、特定方向及び特定角度で、反射光又は透過光で肉眼で観察した場合に、潜像領域と背景領域が識別され潜像画像が視認することができる。背景領域の凸部のドットに形成される穿孔は、そのままの状態で視認できるが、潜像領域の凹部のドットに形成される穿孔は、凸部のドットによって遮断され視認することができない。このため、背景領域の凸部のドットに形成される穿孔のみが視認され、穿孔によって形成された潜像画像（Ｔ）が視認できる。つまり、画像形成体１の表面から確認できた潜像画像とはネガポジが反転して視認される。
【００９０】
画像形成体Ａ７乃至Ａ９において、凹部２及び凸部３の万線又はドットで形成しているが曲線、同心円で形成することができる。下記に曲線の例を示す。
【００９１】
（画像形成体Ａ１０）
図３８に画像形成体Ａ１０とその一部拡大図を示す。基材１に所定領域５を設け、所定領域５に穿孔画像４ｊが形成される。穿孔画像４ｊは背景領域７である第１の領域と、潜像領域８である第２の領域に区分けされ、背景領域７である第１の領域に基材１を貫通する穿孔９ａが所定のピッチで配列され、曲万線状に形成され、潜像領域８である第２の領域に、基材１を貫通する穿孔９ｂが所定のピッチで配列され、曲万線状に形成される。背景領域７である第１の領域の穿孔９ａからなる曲万線状の配列方向と、潜像領域８である第２の領域の穿孔９ｂからなる曲万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８及び背景領域７において、基材１にエンボスから形成される第１の傾斜領域１１ａと第２の傾斜領域１１ｂを有する凹部２と凸部３からなる曲万線のピッチが、穿孔で形成される万線状のピッチと同一のピッチを有し、かつ、同一位相（潜像領域８及び背景領域７で凹部２と凸部３にずれがない）で画像形成体Ａ１０が形成される。凹部２は、同一の深さであることが好ましい。凸部３は、同一の高さであることが好ましい。穿孔９ａと穿孔９ｂは同一の径、同一の形状であることが好ましい。凹部２と凸部３は図２（ａ）の断面形状で作製される。背景領域７である第１の領域に形成される穿孔９ａは、第１の傾斜領域１１ａに沿って形成され、潜像領域８である第２の領域に形成される穿孔９ｂは、第２の傾斜領域１１ｂに沿って形成される。画像形成体Ａ１０は、潜像画像（Ｔ）が視認できる。裏面では潜像画像（Ｔ）のネガのポジが反転して確認できる。画像形成体Ａ７と同様な効果を有する。
【００９２】
画像形成体Ａ７乃至Ａ１０において、凹部２及び凸部３の線は、背景領域及び潜像領域内を形成しているが、背景領域内のみで形成することができる。又は、潜像領域内のみで形成することができる。
【００９３】
（画像形成体Ａ１１）
図３９（ａ）に画像形成体Ａ１１とその一部拡大図を示す。基材１に所定領域５を設け、所定領域５に穿孔画像４ｋが形成される。穿孔画像４ｋは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。背景領域７において、基材１にエンボスから形成される凹部２と凸部３からなる万線のピッチが、穿孔で形成される万線状のピッチと同一のピッチで画像形成体Ａ１１が形成される。凹部２は、同一の深さであることが好ましい。凸部３は、同一の高さであることが好ましい。穿孔９ａと穿孔９ｂは同一形状同一の径、同一の形状であることが好ましい。凹部２と凸部３は図４（ｆ）の断面形状で作製される。なお、穿孔９ａは背景領域７である第１の領域の凹部２に沿って形成され、穿孔９ｂは潜像領域８である第２の領域内に形成される。画像形成体Ａ１１は、反射光又は透過光で特定方向及び特定角度から肉眼で観察した場合に潜像画像（Ｐ）が視認できる。
【００９４】
（画像形成体Ａ１２）
図３９（ｂ）に画像形成体Ａ１２とその一部拡大図を示す。基材１に所定領域５を設け、所定領域５に穿孔画像４ｌが形成される。穿孔画像４ｌは背景領域７である第１の領域と、潜像領域８である第２の領域に区分けされ、背景領域７である第１の領域に基材１を貫通する穿孔９ａが所定のピッチで配列され、万線状に形成され、潜像領域８である第２の領域に、基材１を貫通する穿孔９ｂが所定のピッチで配列され、万線状に形成される。背景領域７である第１の領域の穿孔９ａからなる万線状の配列方向と、潜像領域８である第２の領域の穿孔９ｂからなる万線状の配列方向が一方向（同一方向）に形成される。さらに、背景領域７となる万線状の所定のピッチと、潜像領域８となる万線状の所定のピッチの所定のピッチは、同一のピッチで、かつ、位相がずれて形成される。背景領域７となる所定のピッチと潜像領域８となる所定のピッチは、同一のピッチであり、互いに略半ピッチずれていることが好ましい。潜像領域８において、基材１にエンボスから形成される凹部２と凸部３からなる万線のピッチが、穿孔で形成される万線状のピッチと同一のピッチで画像形成体Ａ１２が形成される。凹部２は、同一の深さであることが好ましい。凸部３は、同一の高さであることが好ましい。穿孔９ａと穿孔９ｂは同一の径、同一の形状であることが好ましい。凹部２と凸部３は図４（ｆ）の断面形状で作製される。なお、穿孔９ａは背景領域７である第１の領域内に形成され、穿孔９ｂは潜像領域８の凹部２に沿って形成される。画像形成体Ａ１２は、反射光又は透過光で特定方向及び特定角度から肉眼で観察した場合に画像形成体Ａ１１とネガポジが反転して潜像画像が視認される。
【００９５】
次に、凹部２と凸部３と穿孔の位置関係の一例を図４０を用いて説明する。なお、図４０はすき入れ又は印刷によって凹部２と凸部３を形成した場合である（エンボスの場合は図示せず）。図４０（ａ）に示すように穿孔９ａは背景領域７である凹部２の線又はドットに形成され、穿孔９ｂは潜像領域８である凸部３の線又はドットの最高部に形成される例である。また、穿孔９ａは背景領域７である凸部３の線又はドットの最高部に形成され、穿孔９ｂは潜像領域８である凹部２の線又はドットに形成してもよい（図示せず）。なお、凹部に形成される穿孔は最低部に形成しても良い（図示せず）。
【００９６】
図４０（ｂ）に示すように穿孔９ａは背景領域７である凸部３の第１の傾斜領域１１ａに形成され、穿孔９ｂは潜像領域８である凸部３の第２の傾斜領域１１ｂに形成される例である。また、穿孔９ａは背景領域７である凸部３の第２の傾斜領域１１ｂに形成され、穿孔９ｂは潜像領域８である凸部３の第１の傾斜領域１１ａに形成してもよい（図示せず）。ここで言う、第１の傾斜領域及び第２の傾斜領域とは、図４０に示すように凸部の最高部から凹部に接続される傾斜部分のことである。
【００９７】
図４０（ｃ）に示すように穿孔９ａは背景領域７である凹部２の線又はドットに形成され、穿孔９ｂは潜像領域８である凸部３の第２の傾斜領域１１ｂに形成される例である。また、穿孔９ａは背景領域７である凹部２の線又はドットに形成され、穿孔９ｂは潜像領域８である凸部３の第１の傾斜領域１１ｂに形成してもよい（図示せず）。また、穿孔９ａは背景領域７である凸部３の第２の傾斜領域１１ｂに形成され、穿孔９ｂは潜像領域８である凹部２の線又はドットに形成してもよい（図示せず）。また、穿孔９ａは背景領域７である凸部３の第１の傾斜領域１１ｂに形成され、穿孔９ｂは潜像領域８である凹部２の線又はドットに形成してもよい（図示せず）。なお、凹部に形成される穿孔は最低部に形成しても良い（図示せず）。
【００９８】
図４０（ｄ）に示すように穿孔９ａは背景領域７である凸部３の第１の傾斜領域１１ａに形成され、穿孔９ｂは潜像領域８である凸部３の線又はドットの最高部に形成される例である。また、穿孔９ａは背景領域７である凸部３の第２の傾斜領域１１ｂに形成され、穿孔９ｂは潜像領域８である凸部３の線又はドットの最高部に形成してもよい（図示せず）。また、穿孔９ａは背景領域７である凸部３の線又はドットの最高部に形成され、穿孔９ｂは潜像領域８である凸部３の第１の傾斜領域１１ａに形成してもよい（図示せず）。また、穿孔９ａは背景領域７である凸部３の線又はドットの最高部に形成され、穿孔９ｂは潜像領域８である凸部３の第２の傾斜領域１１ｂに形成してもよい（図示せず）。
【００９９】
図４０（ｅ）に示すように穿孔９ａは背景領域７である凸部３の第１の傾斜領域１１ａに形成され、同様に穿孔９ｂは潜像領域８である凸部３の第１の傾斜領域１１ａに形成される例である。穿孔９ａは穿孔９ｂよりも凸部の高い領域に形成される。この場合の穿孔９ａは穿孔９ｂよりも凸部の低い領域に形成してもよい（図示せず）。また、穿孔９ａは背景領域７である凸部３の第２の傾斜領域１１ｂに形成され、同様に穿孔９ｂは潜像領域８である凸部３の第２の傾斜領域１１ｂに形成してもよい（図示せず）。この場合は、穿孔９ａは穿孔９ｂよりも凸部の高い領域に形成するか、若しくは、穿孔９ａは穿孔９ｂよりも凸部の低い領域に形成する（図示せず）。
【０１００】
凸部の線、凹部の線、凸部の曲線、凹部の曲線、凸部の円状の線、凹部の円状の線等のからなる万線のピッチは、１５０〜１５００μｍの範囲であることが好ましい。
【０１０１】
凸部の長手方向の幅は５０μｍ〜５００μｍ程度の範囲が好ましく、幅方向の幅は、５０μｍ〜５００μｍ程度の範囲が好ましく、凹部の長手方向の幅は５０μｍ〜５００μｍ程度の範囲が好ましく、幅方向の幅は、５０μｍ〜５００μｍ程度の範囲が好ましい。凸部及び凹部のピッチは、１００〜１５００μｍ程度の範囲であることが好ましい。
【０１０２】
穿孔で形成される万線状のピッチは、３：１乃至１：３程度が好ましい。さらに好ましくは、穿孔で形成される万線状のピッチは、１：１程度が好ましい。穿孔の径は、特に限定させるものではないが、５０μｍ〜５００μｍ程度が好ましい。５０μｍより小さいと作製上困難となり、５００μｍより大きいと複製しやすくなり偽造防止効果が低下する。穿孔の大きさを徐々に変えることによって後述する潜像画像に明暗が得られる。よって、穿孔９のＸ方向のピッチ、Ｙ方向のピッチは、１５０〜１５００μｍ程度の範囲であることが好ましい。穿孔の形状は特に限定されることはなく、円形、多角形、特殊形状等で作製でき、また、これらを組み合わせることも可能である。図４１に示すように微細な穿孔群によって文字（Ａ）を形成し、文字を所定のピッチで配列しても良く、さらに特殊形状（文字：Ａ）の穿孔を所定のピッチで配列してもよい。穿孔はレーザ加工機で作製可能であり、レーザの種類は特に限定されるものではない。また、穿孔は基材に対して垂直方向に形成することが好ましい。ただし、基材に対して斜めの方向に穿孔を形成しても、観察角度は基材に対して垂直方向に穿孔を形成したものとは異なるが、本発明の効果を得ることができる。また、図４２（ａ）に示すように穿孔の径は基材の深さ方向に対して径が小さくなっても良い。また、図４２（ｂ）に示すように基材に対して斜めの方向に穿孔を施してもよい。また、穿孔画像４は、図４３（ａ）に示すように文字、図柄等を形成することができる。図４３（ｂ）に示すように各穿孔の径は異なっていても良い。
【０１０３】
本発明の構成である凹部２と凸部３をすき入れで形成した場合、用いる基材は紙基材である。印刷、エンボスで形成した場合は、紙葉類、プラスチック等、特に限定されるものではないが、透明以外の基材が好ましい。基材の厚さは、特に限定されるものでなく６０μｍ程度の薄い材から、８００μｍ程度のカード基材等でも有効である。
【０１０４】
本発明の潜像領域に形成される潜像画像は、文字、数字、記号及び絵柄の少なくとも一つであることにより、特定方向から観察した場合に容易に真偽判別することができる。当然、本発明の画像形成体に印刷を施すことが可能である。
【実施例】
【０１０５】
以下、実施例を用いて本発明をさらに詳細に説明するが、本発明の内容は、これらの実施例の範囲に限定されるものではない。
【０１０６】
（実施例１）
抄紙機によって所定領域に万線状のすき入れを有する厚さ約１００μｍの紙基材を形成した。万線状のすき入れは幅３００μｍの凹部の線と、幅３００μｍの凸部の線が所定のピッチで交互に配列されている。所定領域は、背景領域である第１の領域と、潜像領域である第２の領域に区分けし、背景領域である第１の領域に形成される穿孔は、背景領域の凹部に沿って線の形状に形成し、潜像領域である第２の領域に形成される穿孔は、潜像領域の凸部に沿って線の形状に形成し実施例１の画像形成体を得た。線の形状に形成される穿孔のピッチは４５０μｍで、穿孔の径は１５０μｍのである（図５参照）。
【０１０７】
実施例１の画像形成体は、反射光又は透過光で特定角度及び特定方向で肉眼で観察した場合に穿孔で形成した潜像画像として視認することができた。
【０１０８】
（実施例２）
抄紙機によって所定領域に万線状のすき入れを有する厚さ約１００μｍの紙基材を形成した。万線状のすき入れは幅３００μｍの凹部の線と、幅３００μｍの凸部の線が所定のピッチで交互に配列されている。所定領域は、背景領域である第１の領域と、潜像領域である第２の領域に区分けし、背景領域である第１の領域に形成される穿孔は、背景領域の第１の傾斜領域に沿って線の形状に形成し、潜像領域である第２の領域に形成される穿孔は、潜像領域の第２の傾斜領域に沿って線の形状に形成し実施例１の画像形成体を得た。線の形状に形成される穿孔のピッチは４５０μｍで、穿孔の径は１５０μｍのである（図１０参照）。
【０１０９】
実施例１の画像形成体は、反射光又は透過光で特定角度及び特定方向で肉眼で観察した場合に穿孔で形成した潜像画像として視認することができた。
【０１１０】
（実施例３）
抄紙機によって所定領域に複数のドット状のすき入れを有する厚さ約１００μｍの紙基材を形成した。ドット状のすき入れは幅１００μｍ、長さ３００μｍの凹部のドットと、幅３００μｍ、長さ３００μｍの凸部のドットが所定のピッチで交互にマトリックス状に配列されている。所定領域は、背景領域である第１の領域と、潜像領域である第２の領域に区分けし、背景領域である第１の領域に形成される穿孔は、背景領域の凹部のドットに形成し、潜像領域である第２の領域に形成される穿孔は、潜像領域の凸部のドットに形成し実施例３の画像形成体を得た。ピッチは４５０μｍで、穿孔の径は１５０μｍのである（図１５参照）。
【０１１１】
実施例３の画像形成体は、反射光又は透過光で３６０度、どの方向から特定角度で肉眼で観察しても穿孔で形成した潜像画像が視認することができた。
【０１１２】
（実施例４）
エンボスプレス機によって所定領域に万線状のエンボスを有する厚さ約１００μｍの紙基材を形成した。万線状のエンボスは幅３００μｍの凹部の線と、幅３００μｍの凸部の線が所定のピッチで交互に配列されている。所定領域は、背景領域である第１の領域と、潜像領域である第２の領域に区分けし、背景領域である第１の領域に形成される穿孔は、背景領域の凹部に沿って線の形状に形成し、潜像領域である第２の領域に形成される穿孔は、潜像領域の凸部に沿って線の形状に形成し実施例４の画像形成体を得た。線の形状に形成される穿孔のピッチは４５０μｍで、穿孔の径は１５０μｍのである（図２３参照）。
【０１１３】
実施例４の画像形成体は、反射光又は透過光で特定角度及び特定方向で肉眼で観察した場合に穿孔で形成した潜像画像が視認することができた。表面と裏面では潜像画像のネガポジが反転して確認できた。
【０１１４】
（実施例５）
エンボスプレス機によって所定領域に万線状のエンボスを有する厚さ約１００μｍの紙基材を形成した。万線状のエンボスは幅３００μｍの凹部の線と、幅３００μｍの凸部の線が所定のピッチで交互に配列されている。所定領域は、背景領域である第１の領域と、潜像領域である第２の領域に区分けし、背景領域である第１の領域に形成される穿孔は、背景領域の第１の傾斜領域に沿って線の形状に形成し、潜像領域である第２の領域に形成される穿孔は、潜像領域の第２の傾斜領域に沿って線の形状に形成し実施例５１の画像形成体を得た。線の形状に形成される穿孔のピッチは４５０μｍで、穿孔の径は１５０μｍのである（図２８参照）。
【０１１５】
実施例５の画像形成体は、反射光又は透過光で特定角度及び特定方向で肉眼で観察した場合に穿孔で形成した潜像画像が視認することができた。表面と裏面では潜像画像のネガポジが反転して確認できた。
【０１１６】
（実施例６）
エンボスプレス機によって所定領域に複数のドット状のエンボスを有する厚さ約１００μｍの紙基材を形成した。ドット状のエンボスは幅３００μｍの凹部のドットと、幅３００μｍの凸部のドットが所定のピッチで交互にマトリックス状に配列されている。所定領域は、背景領域である第１の領域と、潜像領域である第２の領域に区分けし、背景領域である第１の領域に形成される穿孔は、背景領域の凹部のドットに形成し、潜像領域である第２の領域に形成される穿孔は、潜像領域の凸部のドットに形成し実施例６の画像形成体を得た。ピッチは４５０μｍで、穿孔の径は１５０μｍのである（図３３参照）。
【０１１７】
実施例６の画像形成体は、反射光又は透過光で３６０度、どの方向から特定角度で肉眼で観察しても穿孔で形成した潜像画像が視認することができた。表面と裏面では潜像画像のネガポジが反転して確認できた。
【０１１８】
（実施例７）
黄色の厚さ約１００μｍの紙基材に紙基材と等色のインキで複数の万線からなる画線を印刷した。印刷は凹版印刷で行った。万線の各画線の幅は、幅３００μｍの凸部の画線と、幅３００μｍの凹部の非画線が所定のピッチで交互に配列されている。所定領域は、背景領域である第１の領域と、潜像領域である第２の領域に区分けし、背景領域である第１の領域に形成される穿孔は、背景領域の凹部に沿って非画線の形状に形成し、潜像領域である第２の領域に形成される穿孔は、潜像領域の凸部に沿って画線の形状に形成し実施例７の画像形成体を得た。線の形状に形成される穿孔のピッチは４５０μｍで、穿孔の径は１５０μｍのである。
【０１１９】
実施例７の画像形成体は、反射光又は透過光で特定角度及び特定方向で肉眼で観察した場合に穿孔で形成した潜像画像として視認することができた。
【図面の簡単な説明】
【０１２０】
【図１】本発明の構成である凹凸形状をすき入れ又は印刷で形成する場合の説明図である。
【図２】本発明の構成である凹凸形状をエンボスで形成する場合の説明図である。
【図３】本発明の構成であるすき入れ又は印刷での凹凸形状の断面形状についての説明図である。
【図４】本発明の構成であるエンボスでの凹凸形状の断面形状についての説明図である。
【図５】画像形成体Ａ１とその一部拡大図を示す図である。
【図６】反射光で肉眼で画像形成体Ａ１に対して垂直方向から観察した場合を示す図である。
【図７】反射光で肉眼で画像形成体Ａ１に対して特定方向及び特定角度から観察した場合を示す図である。
【図８】透過光で肉眼で画像形成体Ａ１に対して垂直方向から観察した場合を示す図である。
【図９】透過光で肉眼で画像形成体Ａ１に対して特定方向及び特定角度から観察した場合を示す図である。
【図１０】画像形成体Ａ２とその一部拡大図を示す図である。
【図１１】反射光で肉眼で画像形成体Ａ２に対して垂直方向から観察した場合を示す図である。
【図１２】反射光で肉眼で画像形成体Ａ２に対して特定方向及び特定角度から観察した場合を示す図である。
【図１３】透過光で肉眼で画像形成体Ａ２に対して垂直方向から観察した場合を示す図である。
【図１４】透過光で肉眼で画像形成体Ａ２に対して特定方向及び特定角度から観察した場合を示す図である。
【図１５】画像形成体Ａ３とその一部拡大図を示す図である。
【図１６】反射光で肉眼で画像形成体Ａ３に対して垂直方向から観察した場合を示す図である。
【図１７】反射光で肉眼で画像形成体Ａ３に対して特定角度から観察した場合を示す図である。
【図１８】透過光で肉眼で画像形成体Ａ３に対して垂直方向から観察した場合を示す図である。
【図１９】透過光で肉眼で画像形成体Ａ３に対して特定角度から観察した場合を示す図である。
【図２０】画像形成体Ａ４を示す図である。
【図２１】画像形成体Ａ５及び画像形成体Ａ６を示す図である。
【図２２】印刷によって凸部のみで形成された例、又は、印刷によって凹部及び凸部を形成した例を示す図である。
【図２３】画像形成体Ａ７とその一部拡大図を示す図である。
【図２４】反射光で肉眼で画像形成体Ａ７に対して垂直方向から観察した場合を示す図である。
【図２５】反射光で肉眼で画像形成体Ａ７に対して特定方向及び特定角度から観察した場合を示す図である。
【図２６】透過光で肉眼で画像形成体Ａ７に対して垂直方向から観察した場合を示す図である。
【図２７】透過光で肉眼で画像形成体Ａ７に対して特定方向及び特定角度から観察した場合を示す図である。
【図２８】画像形成体Ａ８とその一部拡大図を示す図である。
【図２９】反射光で肉眼で画像形成体Ａ８に対して垂直方向から観察した場合を示す図である。
【図３０】反射光で肉眼で画像形成体Ａ８に対して特定方向及び特定角度から観察した場合を示す図である。
【図３１】透過光で肉眼で画像形成体Ａ８に対して垂直方向から観察した場合を示す図である。
【図３２】透過光で肉眼で画像形成体Ａ８に対して特定方向及び特定角度から観察した場合を示す図である。
【図３３】画像形成体Ａ９とその一部拡大図を示す図である。
【図３４】反射光で肉眼で画像形成体Ａ９に対して垂直方向から観察した場合を示す図である。
【図３５】反射光で肉眼で画像形成体Ａ９に対して特定角度から観察した場合を示す図である。
【図３６】透過光で肉眼で画像形成体Ａ９に対して垂直方向から観察した場合を示す図である。
【図３７】透過光で肉眼で画像形成体Ａ９に対して特定角度から観察した場合を示す図である。
【図３８】画像形成体Ａ１０を示す図である。
【図３９】画像形成体Ａ１１及び画像形成体Ａ１２を示す図である。
【図４０】凹凸形状と穿孔の位置関係の一例を示す図である。
【図４１】穿孔９の一例を示す図である。
【図４２】穿孔９の一例を示す図である。
【図４３】穿孔画像の一例を示す図である。
【符号の説明】
【０１２１】
１          基材
１ａ、１ｂ、１ｃ、１ｄ、１ｅ、１ｆ          表面のベースの高さ
２、２、２、２ｃ、２ｄ、２ｅ、２ｆ          凹部
３、３、３、３ｃ、３ｄ、３ｅ、３ｆ          凸部
４ａ、４ｂ、４ｃ、４ｄ、４ｅ、４ｆ、４ｇ、４ｉ、４ｊ、４ｋ、４ｌ        穿孔画像
５          所定領域
７          背景領域
８          潜像領域
９、９ａ、９ｂ          穿孔
１１ａ          第１の傾斜領域
１１ｂ          第２の傾斜領域            
Ａ１、Ａ２、Ａ３、Ａ４、Ａ５、Ａ６、Ａ７、Ａ８、Ａ９、Ａ１０、Ａ１１、Ａ１２          画像形成体
【図１】
2007237416.tif 000003
【図２】
2007237416.tif 000004
【図３】
2007237416.tif 000005
【図４】
2007237416.tif 000006
【図５】
2007237416.tif 000007
【図６】
2007237416.tif 000008
【図７】
2007237416.tif 000009
【図８】
2007237416.tif 000010
【図９】
2007237416.tif 000011
【図１０】
2007237416.tif 000012
【図１１】
2007237416.tif 000013
【図１２】
2007237416.tif 000014
【図１３】
2007237416.tif 000015
【図１４】
2007237416.tif 000016
【図１５】
2007237416.tif 000017
【図１６】
2007237416.tif 000018
【図１７】
2007237416.tif 000019
【図１８】
2007237416.tif 000020
【図１９】
2007237416.tif 000021
【図２０】
2007237416.tif 000022
【図２１】
2007237416.tif 000023
【図２２】
2007237416.tif 000024
【図２３】
2007237416.tif 000025
【図２４】
2007237416.tif 000026
【図２５】
2007237416.tif 000027
【図２６】
2007237416.tif 000028
【図２７】
2007237416.tif 000029
【図２８】
2007237416.tif 000030
【図２９】
2007237416.tif 000031
【図３０】
2007237416.tif 000032
【図３１】
2007237416.tif 000033
【図３２】
2007237416.tif 000034
【図３３】
2007237416.tif 000035
【図３４】
2007237416.tif 000036
【図３５】
2007237416.tif 000037
【図３６】
2007237416.tif 000038
【図３７】
2007237416.tif 000039
【図３８】
2007237416.tif 000040
【図３９】
2007237416.tif 000041
【図４０】
2007237416.tif 000042
【図４１】
2007237416.tif 000043
【図４２】
2007237416.tif 000044
【図４３】
2007237416.tif 000045